(57)【要約】【課題】履物のアッパーのニット構成要素に特定の特性を付与する。【解決手段】履物製品のアッパーは、単独で、または組み合わせて、異なる程度の伸張抵抗性を有する領域を含むニット構成要素130を備えている。ニット構成要素130は、ハーフゲージニットによってカラーを形成する。アッパーは、ニット構成要素130内に埋め込まれている部分を備えたストランド140を含む。互いに近接して配置されたストランド140は複数のループ141を形成し、締めひもを収容するように構成される。ニット構成要素130は、熱可塑性高分子材料を含み、前記ストランド140は、熱可塑性高分子材料に結合されていない。【選択図】図１１
2020179246.tif 000002
【特許請求の範囲】
【請求項１】
アッパーと、該アッパーに固定されるソール構造とを有し、前記アッパーは、一体的なニット構造で形成されるニット構成要素を含む、履物製品であって、
前記ニット構成要素は、
第１の領域と、
第２の領域と、
第３の領域とを含み、
前記第１の領域は、前記アッパーのカラーを形成し、該カラーは、第１の伸張抵抗性を有し、前記カラーは、足を受け入れるために前記アッパー内の空洞への開口を備える管状構造を画定し、該管状構造は、着用者を継続的に取り囲むように構成され、
前記第２の領域は、前記第１の領域から外向きに延在し、前記アッパーのスロート領域内に少なくとも部分的に配置され、前記第２の領域は、第２の伸張抵抗性を有し、
前記第３の領域は、前記アッパーの内側側部及び外側側部を少なくとも部分的に画定し、前記第３の領域は、前記第２の領域の周りに少なくとも部分的に延在し、第３の伸張抵抗性を有し、前記第２の領域の周りに少なくとも部分的に延在することは、前記スロート領域の周りに少なくとも部分的に延在することを含み、
前記第２の領域は、前記アッパーが前記内側側部から前記第２の領域を横断して前記外側側部まで連続的に延在するように、前記第３の領域との一体的なニット構造で形成され、
前記第１の伸張抵抗性は、前記第２の伸張抵抗性よりも少なく、前記第２の伸張抵抗性は、前記第３の伸張抵抗性よりも少なく、
前記ニット構成要素は、長さを有するトンネル、及び該トンネル内に配置され且つ前記トンネルの前記長さで延在する第１の部分と、第２の部分と、前記トンネル内に配置され且つ前記トンネルの前記長さで延在する第３の部分とを有する、ストランドを更に含み、前記第２の部分は、前記第１の部分と前記第３の部分との間に連続的に延在し、前記トンネルの外側及び前記ニット構成要素の外部に配置され、且つレースを受け入れるように構成されるレースループを形成し、前記ストランドは、前記第３の領域を通じて延び、前記ストランドは、複数のレースループを形成し、互いに近接近して位置付けられる一対のレースループが、レースの一回の通過を受け入れるように構成される共通の孔を形成するように互いに重なり合い、前記一対のレースループは、前記共通の孔に近接近する前記ニット構成要素の外面部に対して実質的に法線方向の方向において互いに重なり合う、
履物製品。
【請求項２】
前記第１の領域は、前記第２の領域よりも低ゲージのニット構造を有する、請求項１に記載の履物製品。
【請求項３】
前記第２の領域よりも少ない伸張抵抗性を前記第１の領域にもたらすよう、前記第２の領域は、フルゲージのニット構造を有し、前記第１の領域は、ハーフゲージのニット構造を有する、請求項２に記載の履物製品。
【請求項４】
前記第３の領域内のヤーンが、熱可塑性高分子材料を含む、請求項１に記載の履物製品。
【請求項５】
前記熱可塑性高分子材料は、前記第１の領域及び前記第２の領域に実質的に存在しない、請求項４に記載の履物製品。
【請求項６】
前記ニット構成要素は、平らなニット構成要素である、請求項１に記載の履物製品。
【請求項７】
アッパーと、該アッパーに固定されるソール構造とを有する、履物製品であって、
前記アッパーは、
長さを有するトンネルを含むニット構成要素と、
ストランドとを含み、
該ストランドは、
前記ニット構成要素の前記トンネル内に配置され、前記ニット構成要素の前記トンネルの前記長さで延在する、第１の部分と、
第２の部分と、
前記ニット構成要素の前記トンネル内に配置され、前記ニット構成要素の前記トンネルの前記長さで延在する、第３の部分とを有し、該第３の部分は、前記トンネル内で前記第１の部分に近接近し、前記ストランドの前記第１及び第３の部分を含む前記トンネルは、前記ニット構成要素の単一の層を画定する前記ニット構成要素の対抗する実質的に平行な面の間に位置付けられ、
前記第２の部分は、前記第１の部分と前記第３の部分との間に連続的に延在し、前記第２の部分は、前記トンネルの外側及び前記ニット構成要素の外部に配置され、前記第２の部分は、レースを受け入れるように構成されるレースループを形成し、前記ストランドは、複数のレースループを形成し、互いに近接近して位置付けられる一対のレースループが、前記レースの一回の通過を受け入れるように構成される共通の孔を形成するよう互いに重なり合い、前記一対のレースループは、前記共通の孔に近接近する前記ニット構成要素の外面部に対して実質的に法線方向の方向において互いに重なり合う、
履物製品。
【請求項８】
前記第１の部分及び前記第３の部分は、互いに２ミリメートル内に配置される、請求項７に記載の履物製品。
【請求項９】
前記第１の部分及び前記第２の部分は、前記アッパーのスロート区域と下方区域との間に延在する、請求項７に記載の履物製品。
【請求項１０】
前記ストランドは、前記アッパーの両側に配置される複数の追加的なレースループを形成する、請求項７に記載の履物製品。
【請求項１１】
前記ストランドは、前記ニット構成要素よりも大きい伸張抵抗性を有する、請求項７に記載の履物製品。
【請求項１２】
前記ニット構成要素は、熱可塑性高分子材料を含み、前記ストランドは、前記熱可塑性高分子材料に結合されていない、請求項７に記載の履物製品。
【請求項１３】
前記ニット構成要素は、（ａ）カラーを形成するカラー領域と、（ｂ）該カラー領域から外向きに延びる中央領域と、（ｃ）該中央領域の周りに少なくとも部分的に延在する周辺領域とを有し、前記カラー領域、前記中央領域、及び前記周辺領域は、一体的なニット構造で形成され、前記ストランドの前記第１の部分及び前記第２の部分は、前記周辺領域内に配置される、請求項７に記載の履物製品。
【請求項１４】
前記周辺領域内のヤーンが、熱可塑性高分子材料を含み、該熱可塑性高分子材料は、前記カラー領域及び前記中央領域に実質的に存在しない、請求項１３に記載の履物製品。
【請求項１５】
前記ニット構成要素は、平らなニット構成要素である、請求項７に記載の履物製品。
【請求項１６】
レースを備えるアッパーと、該アッパーに固定されるソール構造とを有する、履物製品であって、
前記アッパーは、
第１のトンネルと、第２のトンネルとを含む、ニット構成要素と、
該ニット構成要素内に埋め込まれる少なくとも１つのストランドとを含み、
該少なくとも１つのストランドは、
前記第１のトンネル内に受け入れられる第１の部分と、
前記第１のトンネル内に受け入れられる第２の部分と、
前記第２のトンネル内に受け入れられる第３の部分と、
前記第２のトンネル内に受け入れられる第４の部分とを含み、
第１のループが、前記少なくとも１つのストランドの前記第１の部分と前記第２の部分との間に連続的に延在し、前記第１のループは、前記ニット構成要素の外部に配置され、
第２のループが、前記少なくとも１つのストランドの前記第３の部分と前記第４の部分との間に連続的に延在し、前記第２のループは、前記ニット構成要素の外部に配置され、
前記第１のループ及び前記第２のループは、互いに近接近して位置付けられ、前記レースの一回の通過を受け入れるように構成される、
履物製品。
【請求項１７】
前記第１のループ及び前記第２のループは、重なり合う構成にある、請求項１６に記載の履物製品。
【請求項１８】
前記第１のループ及び前記第２のループは、孔を形成するように整列させられる、請求項１６に記載の履物製品。
【請求項１９】
前記第１のループ及び前記第２のループは、前記アッパーの１つの側面に配置され、
前記少なくとも１つのストランドは、前記アッパーの別の側面に配置される第３のループ及び第４のループを更に含み、前記レースは、前記アッパーを横断して、前記第１のループ、前記第２のループ、前記第３のループ、及び前記第４のループの各々を通じて、延在する、請求項１６に記載の履物製品。
【請求項２０】
前記少なくとも１つのストランドは、前記ニット構成要素よりも大きい伸張抵抗性を有する、請求項１６に記載の履物製品。
【請求項２１】
前記ニット構成要素は、熱可塑性高分子材料を含み、前記少なくとも１つのストランドは、前記熱可塑性高分子材料に結合されていない、請求項１６に記載の履物製品。
【請求項２２】
前記ニット構成要素は、（ａ）カラーを形成するカラー領域と、（ｂ）該カラー領域から外向きに延びる中央領域と、（ｃ）該中央領域の周りに少なくとも部分的に延在する周辺領域とを有し、前記カラー領域、前記中央領域、及び前記周辺領域は、一体的なニット構造で形成される、請求項１６に記載の履物製品。
【請求項２３】
前記周辺領域内のヤーンが、熱可塑性高分子材料を含み、該熱可塑性高分子材料は、前記カラー領域及び前記中央領域に実質的に存在しない、請求項２２に記載の履物製品。
【請求項２４】
前記カラー領域は、ハーフゲージニットとして形成され、前記中央領域及び前記周辺領域は、フルゲージニットとして形成される、請求項２２に記載の履物製品。
【請求項２５】
前記ニット構成要素は、平らなニット構成要素である、請求項１６に記載の履物製品。
【発明の詳細な説明】
【技術分野】
【０００１】
従来の履物製品は一般に、アッパーおよびソール構造という２つの主要な要素を含んでいる。アッパーは、ソール構造に固定されて、足を快適かつ安定して受け入れるために、履物の内部に空洞を形成する。ソール構造は、アッパーと地面との間に配置されるように、アッパーの下面に固定されている。例えば、いくつかの運動用の履物では、ソール構造は、ミッドソールとアウトソールとを含んでもよい。ミッドソールは、地面の反力を弱めて、歩くとき、走るとき、および他の歩行活動中に足および脚にかかる応力を低減するポリマー発泡材料によって形成してもよい。アウトソールは、ミッドソールの下面に固定されて、耐久性のある耐摩耗性材料で形成されるソール構造の地面係止部を構成している。また、ソール構造は、履物の快適性を高めるために、空洞内に配置され、足の下面に近接する中敷きも含んでもよい。
【０００２】
アッパーは大略的に、足の甲およびつま先区域にわたり、足の内側側部および外側側部に沿って、足のかかと区域の周りに延びている。バスケットボール用履物およびブーツなどいくつかの履物製品では、アッパーは上方に、足首の周りに延びて、足首に支持または保護を与えてもよい。アッパーの内部の空洞へのアクセスは、一般に、履物のかかと区域にある足首開口部によって提供される。アッパーの履き心地を調整するために、しばしば締めひもシステムがアッパーに組み込まれ、それによりアッパー内の空洞に足を入れ、足を抜くことが可能になる。締めひもシステムにより、着用者がアッパーの特定の寸法、特に周長を調節して、さまざまな寸法の足を収容することもできる。くわえて、アッパーは、締めひもシステムの下に延びて、履物の調節可能性を高めるベロを含んでもよく、アッパーは、かかとの動きを制限するために、ヒールカウンタを組み込んでもよい。
【０００３】
さまざまな材料が、従来、アッパーを製造する際に利用されている。例えば、運動用の履物のアッパーは、複数の材料要素によって形成してもよい。それらの材料要素は、例えば、伸張抵抗性、耐摩耗性、柔軟性、通気性、圧縮性および速乾性を含むさまざまな特性に基づいて選択することができる。アッパーの外側に関しては、つま先区域およびかかと区域は、比較的高い耐摩耗性を付与するために、革、合成皮革またはゴム材料によって形成してもよい。革、合成皮革およびゴム材料は、外側の他のさまざまな区域に対しては、所望の程度の柔軟性および通気性を呈していなくてもよい。したがって、外側の他の区域は、例えば、合成繊維によって形成してもよい。そのため、アッパーの外側は、それぞれ異なる特性をアッパーに付与する複数の材料要素によって形成してもよい。アッパーの中間または中心層は、クッション性をもたらし、および快適性を高める軽量ポリマー発泡材料によって形成してもよい。同様に、アッパーの内部は、足を直接囲んでいる区域から汗を取り除く快適で速乾性の繊維で形成してもよい。さまざまな材料要素および他の構成要素は、接着剤または縫製で接合してもよい。したがって、従来のアッパーは、それぞれ異なる特性を、履物のさまざまな区域に付与するさまざまな材料要素によって形成されている。
【先行技術文献】
【特許文献】
【０００４】
【特許文献１】米国特許第６，９９０，７５５号明細書
【特許文献２】米国特許出願公開第２０１２／０２４６９７３号明細書
【特許文献３】米国特許出願公開第２０１２／０２３３８８２号明細書
【発明の概要】
【課題を解決するための手段】
【０００５】
本発明の、履物製品は、ニット構成要素を備えたアッパーを有している。いくつかの構成では、ニット構成要素は、異なる程度の伸張抵抗性を有する領域を含んでいる。ニット構成要素は、ハーフゲージニットによってカラーを形成している。アッパーは、ニット構成要素内に埋め込まれている部分を備えたストランドを含み、それらの埋め込まれた部分は、互いに近接して配置されている。ストランドは複数のループを形成し、ループから成るペアは、互いに近接して配置され、締めひもは、ループから成るペアを通って延びている。くわえて、ニット構成要素は、熱可塑性高分子材料を含み、ストランドは、熱可塑性高分子材料に結合されていない。
【０００６】
本発明のさまざまな側面を特徴付ける新規性の利点および特徴は、添付の請求項で具体的に指摘されている。しかし、新規性の利点および特徴をより一層理解するために、本発明に関するさまざまな構成および概念を説明および図示した以下の説明事項および添付図面を参照することができるであろう。
【図面の簡単な説明】
【０００７】
【図１】履物製品の第１の構成を示す側面立面図である。
【図２】履物製品の第１の構成を示す内側立面図である。
【図３】履物製品の第１の構成を示す平面図である。
【図４Ａ】図３の切断線４Ａによって画定される、履物製品の第１の構成の断面図である。
【図４Ｂ】図３の切断線４Ｂによって画定される、履物製品の第１の構成の断面図である。
【図４Ｃ】図３の切断線４Ｃによって画定される、履物製品の第１の構成の断面図である。
【図５】履物製品の第１の構成のアッパーから見たニット構成要素の平面図である。
【図６Ａ】ニット構成要素のニット構造を示すループの図である。
【図６Ｂ】ニット構成要素のニット構造を示すループの図である。
【図６Ｃ】ニット構成要素のニット構造を示すループの図である。
【図７】履物製品の第２の構造を示す外側立面図である。
【図８】履物製品の第２の構造を示す内側立面図である。
【図９】履物製品の第２の構造を示す平面図である。
【図１０Ａ】図９の切断線１０Ａから見た履物製品の第２の構成を示す断面図である。
【図１０Ｂ】図９の切断線１０Ｂから見た履物製品の第２の構成を示す断面図である。
【図１０Ｃ】図９の切断線１０Ｃから見た履物製品の第２の構成を示す断面図である。
【図１１】履物製品の第２の構成のアッパーにおけるニット構成要素を示す平面図である。
【図１２】図１１の切断線１２から見た、図１１に示すニット構成要素を示す断面図である。
【図１３】図１１に示すニット構成要素におけるニット構造を示すループの図である。
【図１４】履物製品の第２の構成のアッパーの一部を示す斜視図である。
【図１５】履物製品とともに用いることができる別のニット構成要素の構成を示す平面図である。
【発明を実施するための形態】
【０００８】
以下の説明および添付図面は、ニット構成要素を含むアッパーを有する履物製品を開示する。履物製品は、ウォーキングやランニングに適した全体的構造を有するものとして開示されている。アッパーを含む履物に関連する概念は、例えば、バスケットボールシューズ、野球靴、クロストレーニングシューズ、サイクリングシューズ、フットボールシューズ、サッカーシューズ、短距離走用シューズ、テニスシューズおよびハイキングブーツを含むさまざまな種類の他の運動靴に適用してもよい。また、その概念を、ドレスシューズ、ローファー、サンダルおよび作業靴を含む、一般的に非運動用と考えられている履物の種類に当てはめてもよい。したがって、本願明細書に開示した概念は、幅広い種類の履物に適用される。
【０００９】
〈履物の全体構造〉
第一の実施例として、図１〜図４Ｃには、ソール構造１１０およびアッパー１２０を含む履物製品１００が図示されている。ソール構造１１０は、履物製品の下部に配置されて、その履物を支持し、アッパー１２０は、足に対して快適性としっかりした覆いをもたらしている。このように、足を履物１００内に効果的に固定するか、または足と履物１００を一体化するように、アッパー１２０の空洞にその足を配置することができる。さらに、ソール構造１１０は、アッパー１２０の下側区域に固定されて、例えば、地面の反力を弱めて（すなわち、足の衝撃を和らげて）静止摩擦力を生成し、安定性を高め、および足の動きに影響を与えるように、足と地面の間に延びている。
【００１０】
参照のために、履物１００は、３つの大略的領域、すなわち、足先領域１０１と、中足領域１０２と、かかと領域１０３とに分けてもよい。足先領域１０１は、大略的に、つま先を含む足の前方部分に対応する履物１００の部分と、中足骨と指骨を接続する関節とを含んでいる。中足領域１０２は、大略的に、アーチ区域を含む足の中間部分に対応する履物１００の部分を含んでいる。かかと領域１０３は、大略的に、かかとと踵骨を含む足の後方部分に対応する履物１００の部分を含んでいる。また、履物１００は、外側側部１０４および内側側部１０５を含み、それらは、領域１０１〜領域１０３の各々を通って延びており、履物１００の両側に相当する。より具体的には、外側側部１０４は、足の外側区域（すなわち、他方の足から離れて対向する面）に相当し、内側側部１０５は、足の内側区域（すなわち、他方の足に向かって対向する面）に相当する。領域１０１〜領域１０３と側部１０４，１０５は、履物１００の厳密な区域を区別することを意図するものではない。むしろ、領域１０１〜領域１０３と側部１０４，１０５は、以下の説明に役立つように、履物１００の大略的区域を表すことが意図されている。履物１００に加えて、領域１０１〜領域１０３および側部１０４，１０５もまた、ソール構造１１０、アッパー１２０およびそれらの個々の要素に適用してもよい。
【００１１】
ソール構造１１０の主要要素は、ミッドソール１１１、アウトソール１１２および中敷き１１３である。ミッドソール１１１は、アッパー１２０の下面に固定されており、ウォーキング、ランニングまたは他の歩行活動中に、足と地面の間で圧縮されると、地面の反力を弱める（すなわち、クッション性をもたらす）圧縮性ポリマー発泡体要素（例えば、ポリウレタンまたはエチルビニルアセテート発泡体）によって形成してもよい。さらなる構成では、ミッドソール１１１は、さらに力を弱め、安定性を高め、足の動きに影響を与えるプレート、モデレータ、液体充填チャンバ、ラスティング要素またはモーションコントロール部材を組み込んでもよく、または、ミッドソール２１は、主に液体充填チャンバによって形成してもよい。アウトソール１１２は、ミッドソール１１１の下面に固定され、静止摩擦力を付与するように織られた耐摩耗性のゴム材料によって形成してもよい。中敷き１１３は、履物１００の快適性を高めるために、アッパー１２０の空洞に設けられて、足の下面の下に広がるように配置されている。
【００１２】
別の実施例として、ソール構造１１０は、２００６年１月３１日に発行された、Hatfield等に対する特許文献１に開示されている構成を有してもよく、その明細書は、参照によって本願明細書に組み込まれるものとする。ソール構造１１０の場合のこれらの構造は、アッパー１２０とともに用いることができるソール構造の実施例を提供しているが、ソール構造１１０のためのさまざまな他の従来の構造または従来にない構造を用いてもよい。したがって、ソール構造１１０、または、アッパー１２０とともに用いられる何らかのソール構造の形状構成は、大幅に変わってもよい。
【００１３】
アッパー１２０は、領域１０１〜領域１０３の各々を通り、外側側部１０４および内側側部１０５の両方に沿って、前足領域１０１を覆って、かかと領域１０３の周りに、およびソール構造１１０の上面を覆って延びている。足を収容するように形成されている空洞内に足が配置される場合、アッパー１２０は、足の外側側部に沿っておよび足の内側側部に沿って延び、足を覆って、かかとの周りに、および足の下に及んでいる。
【００１４】
アッパー１２０は、外側面１２１と、反対側の内側面１２２とを含んでいる。外側面１２１は、履物１００から離れる外側に面しているのに対して、内側面１２２は、内側に面して、アッパー１２０内の空洞の大部分または多くの部分を画成している。さらに、内側面１２１は、足または足を覆っているソックスに接触してもよい。また、アッパー１２０は、主にかかと領域１０３に設けられ、およびアッパー１２０の空洞への開口部を画成しているカラー１２３も含み、それによって、足が空洞にアクセスできるようにしている。すなわち、足をアッパー１２０内に挿入することができ、また、カラー１２３によって形成された開口部を介してアッパー１２０から引き抜くことができる。
【００１５】
アッパー１２０の大部分はニット構成要素１３０から形成されており、以下、そのことをより詳細に説明する。ニット構成要素１３０は、外側面１２１、内側面１２２およびカラー１２３を含むアッパー１２０の実質的にすべてを形成しているように図示されているが、さまざまな追加的要素をアッパー１２０に組み込んでもよい。
【００１６】
例えば、ストローベル式中敷き１２４が、ニット構成要素１３０に固定されて、図４Ａ〜図４Ｃに図示されているように、足の下に広がっているアッパー１２０の部分の大部分を形成している。この構成では、中敷き１１３が、ストローベル式中敷き１２４を覆って広がり、足がその上に載る面を形成している。あるいは、ニット構成要素１３０は、足の下に広がって、それにより、ストローベル式中敷き１２４の一部またはすべてを置き換えてもよい。くわえて、縫い目１２５が、内側側部１０５のかかと領域１０３を通って延びて、ニット構成要素１３０の縁部を接合していてもよい。
【００１７】
ニット構成要素１３０は、面１２１および面１２２の両方の部分を形成しているが、参照によって全体が本願明細書に組み込まれる、Duaに対する特許文献２に開示されているように、ポリマー層または表面層を、ニット構成要素１３０から成る区域に固着してもよい。
【００１８】
さらなる構成では、アッパー１２０は、（ａ）足の周りでアッパー１２０を締め付けるのを補助する締めひも、（ｂ）安定性を高めるためのかかと領域１０３内のヒールカウンタ、（ｃ）耐摩耗性材料で形成されている足先領域１０１内のつま先ガード、および（ｄ）ロゴ、商標、および注意書きや材料情報が記載された札のうちの１つ以上を含んでもよい。
【００１９】
したがって、アッパー１２０は、本願明細書で説明した、および図面に図示されている形状構成および要素に加えて、さまざまな他の形状構成および要素を組み込んでもよい。
【００２０】
〈ニット構成要素の構造〉
ニット構成要素１３０は、横編み等の編みプロセスによって形成され、アッパー１２０全体に及んでいる。ニット構成要素１３０から成る区域には縫い目が存在していてもよいが、ニット構成要素１３０の大部分は、実質的に縫い目のない構造を有している。さらに、ニット構成要素１３０は、一体ニット構造で形成してもよい。ニット構成要素（例えば、ニット構成要素１３０）は、本願明細書において用いる場合、編みプロセスによってワンピース要素として形成された場合の「一体ニット構造」で形成されるものと定義される。すなわち、その編みプロセスは、かなりの追加的な製造工程または製造プロセスを要することなく、ニット構成要素１３０のさまざまな形状構成および構造を実質的に形成する。
【００２１】
ニット構成要素１３０の部分は、編みプロセスに続いて、互いに接合してもよいが（例えば、ニット構成要素１３０の縁部が、縫い目１２５として一緒に接合される）、ニット構成要素１３０は、ワンピースニット要素として形成されているため、依然として一体ニット構造で形成されたままである。さらに、ニット構成要素１３０は、編みプロセスに続いて、他の要素（例えば、ストローベル式中敷き１２４、締めひも、ロゴ、商標、札）が付加された場合も、依然として一体ニット構造で形成されたままである。
【００２２】
ニット構成要素１３０は、ニット要素として形成されており、縫製およびヤーンのさまざまな種類および組合せを組み込んでもよい。縫製に関しては、ニット構成要素１３０を形成するヤーンは、ニット構成要素１３０の１つの区域に一種類の縫製と、ニット構成要素１３０の別の区域に別の種類の縫製を有していてもよい。用いる縫製の種類および組合せにより、ニット構成要素１３０から成る区域は、例えば、無地のニット構造、メッシュニット構造またはあぜ編み構造を有してもよい。異なる種類の縫製は、美観、伸縮性、厚さ、通気性および耐摩耗性を含むニット構成要素１３０の物理特性に影響を及ぼすことがある。すなわち、異なる種類の縫製は、ニット構成要素１３０の異なる区域に異なる特性を付与することができる。ヤーンに関しては、ニット構成要素１３０は、ニット構成要素１３０の１つの区域に一種類のヤーンと、ニット構成要素１３０の別の区域に別の種類のヤーンを有していてもよい。さまざまなデザイン基準により、ニット構成要素１３０は、例えば、異なるデニール、材料（例えば、綿、エラステイン、ポリエステル、レーヨン、ウールおよびナイロン）および撚りの程度を有するヤーンを組み込んでもよい。異なる種類のヤーンは、美観、伸縮性、厚さ、通気性および耐摩耗性を含むニット構成要素１３０の物理特性に影響を及ぼすことがある。すなわち、異なる種類のヤーンは、ニット構成要素１３０の異なる区域に異なる特性を付与することができる。さまざまな種類および組合せの縫製およびヤーンを組合せることにより、ニット構成要素１３０から成る各区域は、履物１００の快適性、耐久性および性能を高める固有の特性を有することができる。
【００２３】
ニット構成要素１３０は、図５においては、履物１００と区別して、および平面または平坦な構造で図示されている。上述したように、ニット構成要素１３０の各区域は、編みプロセス中に用いられる縫製およびヤーンの種類および組合せによって、特定の特性を有することができる。ニット構成要素１３０から成る区域の特性は、大幅に変えてもよいが、ニット構成要素は、第１の、またはカラー領域１３１と、第２の、または中央領域１３２と、第３の、または周辺領域１３３とを含むように図示されており、それらの領域の各々は、異なる特性を有し、および一体ニット構造で形成されている。
【００２４】
一般的に、例えば、カラー領域１３１は、中央領域１３２よりも大きな伸縮能力を有し、また、中央領域１３２は、周辺領域１３３よりも大きな伸縮能力を有している。すなわち、カラー領域１３１に作用する張力は、中央領域１３２に作用する同じ張力よりも大きな伸長または伸縮をニット構成要素１３０に引き起こすことになる。同様に、中央領域１３２に作用する張力は、周辺領域１３３に作用する同じ張力よりも大きな伸長または伸縮をニット構成要素１３０に引き起こすことになる。
【００２５】
換言すると、カラー領域１３１は、中央領域１３２よりも小さい伸張抵抗性を有し、また、中央領域１３２は、周辺領域１３３よりも小さい伸張抵抗性を有している。領域１３１〜領域１３３を区別して定義するために点線が用いられているが、点線は、ニット構成要素１３０から成るいくつかの構造では見られない、参照のためであってもよい。
【００２６】
カラー領域１３１は、アッパー１２０におけるカラー１２３の部分に一致し、円形または管状の構造を形成している。履物１００が着用された場合、カラー領域１３１は、着用者の足首の周りに及ぶか、または足首を取り囲んで、足首に接触することができる。上述したように、カラー領域１３１は、領域１３２および１３３の両方よりも大きな伸縮能力を呈している。比較的小さな伸張抵抗性（stretch-resistance）を付与することの利点は、足がアッパー１２０内に挿入され、また、カラー１２３によって形成された開口部を介してアッパー１２０から引き抜かれる際に、ニット構成要素１３０から成るこの区域が伸長または別の方法で伸縮するであろうということである。くわえて、カラー領域１３１は、履物１００が着用された場合、依然として部分的に伸縮した状態のままであり、および足首に接触することができ、それにより、土や小石およびその他のごみがカラー１２３を介して履物１００に入るのを防いでいる。
【００２７】
さまざまな種類の縫製およびヤーンをカラー領域１３１に用いてもよい。実施例として、図６Ａは、第１のヤーン１３４および第２のヤーン１３５から形成されているカラー領域１３１のためのニット構造を示すループの図を描いたものである。伸縮性をカラー領域１３１に付与するために、ループの図は、カラー領域１３１がハーフゲージニットとして形成されていることを示している。すなわち、ヤーン１３４および１３５によって形成されたループおよび引き上げ編みは、そのニット構造に隙間または畝を形成するために、他のすべての編み針で編まれ、それによって、拡張または伸縮を容易にしている。
【００２８】
いくつかの構成では、カラー領域１３１をハーフゲージニットとして形成することが、ニット構成要素１３０にリブ編み構造を形成する。カラー領域１３１にさらなる伸縮性を付与するために、第１のヤーン１３４は、弾性糸、例えば、１５０デニールのポリエステル糸から成る両端で覆われた２１０デニールのエラステインであってもよい。くわえて、第２のヤーン１３５は、１５０デニールの生地用ポリエステル糸の両端であってもよい。
【００２９】
中央領域１３２は、カラー領域１３１から外側へ、前足領域１０１に設けられているニット構成要素１３０の部分に向かって延びており、それにより、アッパー１２０のスロート区域に対応している。履物１００が着用された場合、中央領域１３２は、足の上面を覆って広がり、足の上面に接触することができる。
【００３０】
上述したように、中央領域１３２は、カラー領域１３１よりも大きな伸張抵抗性を呈しているが、周辺領域１３３よりは小さな伸張抵抗性を有している。中程度の伸張抵抗性を中央領域１３２に付与することの利点は、足がアッパー１２０内に挿入されたときに、ニット構成要素１３０から成るこの区域が膨張したり、または別の方法で伸縮して、周囲の長さや幅等のさまざまなプロポーションを有する足に適応するであろうということである。くわえて、中央領域１３２は、履物１００が着用された場合、依然として部分的に伸縮した状態のままであり、および足の上面に接触することができ、それにより、ランニングまたはウォーキング中のしっかり固定したフィット感を確実にしている。
【００３１】
さまざまな種類の縫製およびヤーンを中央領域１３２に用いることができる。実施例として、図６Ｂは、第１のヤーン１３４から形成されている中央領域１３２のためのニット構造を示すループの図を描いたものである。ループの図は、中央領域１３２がフルゲージニットとして形成されていることを示しているが、第１のヤーン１３４は、中程度の伸張抵抗性を中央領域１３２に付与する弾性糸であってもよい。上述したように、第１のヤーン１３４は、１５０デニールのポリエステルから成る両端で覆われた２１０デニールのエラステインであってもよい。
【００３２】
周辺領域１３３は、ニット構成要素１３０の残りの部分を形成し、および中央領域１３２の周りに少なくとも部分的に及んでおり、それによって、ニット構成要素１３０の周辺に設けられている。周辺領域１３３は、履物１００に組み込んだ場合、領域１０１〜領域１０３の各々を通って、外側側部１０４および内側側部１０５の両方に沿って、前足領域１０１を覆って、かかと領域１０３の周りに及んでいる。さらに、履物１００が着用された場合、周辺領域１３３は、足の外側側部に沿って、足の内側側部に沿って、足を覆って、およびかかとの周りに及んでいる。
【００３３】
上述したように、周辺領域１３３は、領域１３１および１３２の両方よりも大きな伸張抵抗性を呈している。さらに、周辺領域１３３は、張力が加えられた場合に、比較的小さな伸縮性を呈してもよく、または、伸縮性を呈していなくてもよい。比較的小さな程度の伸縮性を周辺領域１３３に付与することの利点は、ニット構成要素１３０から成るこの区域が、アッパー１２０の伸縮に耐えて、ランニングまたはウォーキング中のしっかり固定したフィット感を確実にするということである。
【００３４】
さまざまな種類の縫製およびヤーンを周辺領域１３３のために用いてもよい。実施例として、図６Ｃは、第１のヤーン１３４および第３のヤーン１３６から形成されている周辺領域１３３のためのニット構造を示すループの図を描いたものである。第１のヤーン１３４は、弾性糸であってもよいが、周辺領域１３３におけるより大きな伸張抵抗性は、（ａ）ループの図に描かれているフルゲージニットと、（ｂ）第３のヤーン１３６から成る熱可塑性の形状構成とから成る製品であってもよい。
【００３５】
すなわち、第３のヤーン１３６は、加熱した場合に軟らかくなりまたは溶融し、冷却されると、固体状態に戻る、可溶性または熱可塑性の高分子材料を組み込んでもよい。より具体的には、熱可塑性の高分子材料は、十分な熱にさらされると、固体状態から、軟化状態または液体状態に移行し、その後、熱可塑性高分子材料は、十分に冷却されると、軟化状態または液体状態から固体状態に移行する。したがって、熱可塑性高分子材料は、多くの場合、２つの物体または要素を一緒に接合するのに用いられている。この場合、第３のヤーン１３６の熱可塑性高分子材料は、（ａ）第３のヤーン１３６から成る部分を、第１のヤーン１３４から成る部分に、および（ｂ）第３のヤーン１３６から成る部分を、第３のヤーン１３６から成る他の部分に接合するのに用いることができる。したがって、熱可塑性ポリウレタンであってもよい熱可塑性高分子材料は、ニット構造と融合または結合して、周辺領域１３３を安定化し、それによって、周辺領域１３３における伸縮性を最小限にする。実施例として、第３のヤーン１３６は、１５０デニールの生地用ポリエステルと可溶性または熱可塑性の高分子材料で覆われた２０デニールのエラステインの両端であってもよい。履物１００の多くの構成では、熱可塑性高分子材料は、カラー領域１３１および中央領域１３２には実質的にないことに留意すべきである。
【００３６】
ニット構成要素１３０は、さまざまな異なる編みプロセスによって、およびさまざまな異なる編み機を用いて形成することができるが、横編み（すなわち、横編機の利用）が、上述したさまざまな形状構成を有するようにニット構成要素１３０を形成する能力を有している。横編みは、周期的に回転されるニット材料（すなわち、材料が交互面から編まれる）を製造するための方法である。材料の２つの面（表面とも呼ばれる）は、従来は、表面（観察者に向かって外側に面している側）と、裏面（観察者から離れて内側に面している側）として指定されている。ニット構成要素１３０を形成するのに用いてもよい横編みおよびプロセスは、Huffa等に対する特許文献３に見出すことができ、その明細書は、参照によってその全体が本願明細書に組み込まれるものとする。
【００３７】
横編みは、ニット構成要素１３０を形成するための適切な方法を提供するが、ニット構成要素１３０に組み込まれる形状構成により、他のさまざまな編みプロセスを用いてもよい。用いることのできる他の編みプロセスの実例は、ワイドチューブ丸編み、ナローチューブ丸編みジャカード織り、シングルニット丸編みジャカード織り、ダブルニット丸編みジャカード織り、ワープニットトリコット、ワープニットラッセル編みおよびダブルニードルバーラッセル編みを含む。
【００３８】
〈インレイレースループの構造〉
上述した形状構成の多くまたはすべてを有するような履物１００の別の構成を図７〜図１０Ｃに示す。そのため、ニット構成要素１３０は、（ａ）横編み等の編みプロセスによって形成され、およびアッパー１２０の全面に及び、（ｂ）一体ニット構造で形成してもよく、（ｃ）ニット要素として形成され、およびさまざまな種類および組合せの縫製およびヤーンを組み込んでもよい。くわえて、ニット構成要素１３０は、カラー領域１３１、中央領域１３２、周辺領域１３３および上述した相対的程度の伸縮性の各々を含んでもよい。
【００３９】
追加的な形状構成として、履物１００のこの構造は、いくつかのレースループ１４１を通っているように図示されている、締めひも１２６を収容するように構成されているいくつかのレースループ１４１を形成するインレイストランド１４０を含んでいる。いくつかの従来の履物と同様に、締めひも１２６は、アッパー１２０を横切って通り、およびアッパー１２０の両側に沿って設けられているレースループ１４１の間を通っている。
【００４０】
履物１００を使用する場合、締めひも１２６は、着用者が、足のプロポーションに適応するようにアッパー１２０の寸法を修正することを可能にしている。より具体的には、締めひも１２６は、着用者が、（ａ）足の周りでアッパー１２０を締め付けることと、（ｂ）（カラー１２３によって形成された開口部を介した）アッパー１２０の空洞への足の挿入および空洞からの足の引き抜きを容易にするためにアッパー１２０を緩めることを可能にする従来の方法で操作することができる。
【００４１】
インレイストランド１４０から成る部分は、ニット構成要素１３０内に設けられ、および編みプロセス中にニット構成要素１３０から成る構造内に埋め込むことができる。上記で参照され、本願明細書に組み込まれる、Huffa等に対する特許文献３は、ニット構成要素１３０にインレイストランド１４０を埋め込み、または別なふうに配置するプロセスを含む、ニット構成要素１３０を形成することができる方法の考察を記載している。
【００４２】
インレイストランド１４０が編みプロセス中にニット構成要素１３０に組み込まれる場合、ニット構成要素１３０とインレイストランド１４０は、一体ニット構造で形成してもよい。すなわち、ニット構成要素１３０とインレイストランド１４０は、編みプロセスによってワンピース要素として形成される。
【００４３】
インレイストランド１４０は、（ａ）締めひも１２６の位置と足の上面とに一致する、アッパー１２０のスロート区域と、（ｂ）ソール構造１１０がアッパー１２０に固定されている箇所に隣接している、アッパー１２０の下方区域との間を繰り返し通っている。インレイストランド１４０の部分は、スロート区域と下方区域との間で、ニット構成要素１３０内に設けられているが、インレイストランド１４０の他の部分は、レースループ１４１を形成するために、スロート区域内で露出されているか、またはニット構成要素１３０の外側に設けられている。この構造では、インレイストランド１４０は、締めひも１２６が締め付けられた場合に張力がかかり、およびインレイストランド１４０は、アッパー１２０の伸びに抵抗する。さらに、インレイストランド１４０は、足の周りにアッパー１２０を固定するのを補助し、および履物１００のフィット感を高めるように、締めひも１２６とともに機能する。
【００４４】
ニット構成要素１３０とインレイストランド１４０は、履物１００とは別に、および平面または平らな構造で図１１に図示されている。インレイストランド１４０の具体的な位置は、大幅に変えてもよいが、インレイストランド１４０は、主に周辺領域１３３に設けられているように図示されている。上述したように、周辺領域１３３は、領域１３２および１３３の両方よりも大きな伸張抵抗性を呈する。張力をかけて配置された場合には、比較的小さな伸縮性を呈してもよく、または、伸縮性を呈していなくてもよい。周辺領域１３３と比較して、インレイストランド１４０は、さらに大きな伸張抵抗性を呈していてもよい。すなわち、インレイストランド１４０は、同じ張力を受けた場合、周辺領域１３３よりも少なく伸びてもよい。
【００４５】
インレイストランド１４０の多くの部分が、アッパー１２０のスロート区域から下方区域まで延びている場合、インレイストランド１４０は、スロート区域と下方区域との間のアッパー１２０から成る部分に伸張抵抗性を付与する。さらに、締めひも１２６に張力をかけると、インレイストランド１４０に張力を与えて、それにより、スロート区域と下方区域との間のアッパー１２０の部分を足に押し付けるようにすることができる。したがって、インレイストランド１４０は、履物１００のフィット感を高めるように、締めひも１２６とともに機能する。
【００４６】
図１２を参照すると、インレイストランド１４０は、ニット構成要素１３０内に設けられ、およびニット構成要素１３０の両面の間に設けられているように図示されている。履物１００に組み込んだ場合、ニット構成要素１３０のそれらの面が、面１２１および１２２の各々も形成することができると仮定すると、インレイストランド１４０は、面１２１と面１２２との間に設けられることになる。ニット構成要素１３０内に設けられるインレイストランド１４０の部分の各々は、互いに離間していてもよいが、単一のレースループ１４１を形成するインレイストランド１４０の部分は、互いに近接して配置されているように図示されている。
【００４７】
インレイストランド１４０の部分は、本願明細書において定義する場合、互いに２ミリメートル以内に配置される場合、互いに「近接している」。この構造では、各レースループ１４１から下方へ、およびソール構造１００の方へ延びているインレイストランドの部分は互いに近接している。いくつかの構造では、互いに近接しているインレイストランド１４０の部分は、接触していてもよく、または、例えば、１つまたは２つのヤーンだけ互いに離間していてもよい。さらに、ニット構成要素１３０の構造は、アッパー１２０内にトンネルまたはチャネルを画成してもよく、また、各レースループ１４１から下方へ延びているインレイストランドの部分は、同じトンネル内に配置してもよい。
【００４８】
上述したように、インレイストランド１４０の部分は、ニット構成要素１３０内に設けられ、また、インレイストランド１４０の他の部分は、レースループ１４１を形成するために、露出されているか、または、ニット構成要素の外側に設けられている。各レースループ１４１の場合、インレイストランド１４０の第１の部分は、ニット構成要素１３０内に設けられているか、またはニット構成要素内に埋め込まれ、インレイストランド１４０の第２の部分は、レースループ１４１のうちの１つを形成し、インレイストランド１４０の第３の部分もまた、ニット構成要素１３０内に設けられているか、またはニット構成要素内に埋め込まれている。さらに、第１の部分および第３の部分は、互いに近接して配置され、およびアッパー１２０のスロート区域と下方区域との間に延びている。いくつかの構造では、第１の部分および第３の部分は、ニット構成要素１３０内の同じトンネルまたはチャネル内に設けてもよい。
【００４９】
図１３は、インレイストランド１４０を含む区域の場合のニット構造を示すループの図を示す。インレイストランド１４０に加えて、第４のヤーン１３７を、この区域に設けてもよく、また、このヤーンは、１５０デニールの生地用ポリエステルで覆われた２０デニールのエラステインから成る両端を有する。第４のヤーン１３７は、第３のヤーン１３６と同様の構造を有しているが、可溶性または熱可塑性の高分子材料がない。この構造の利点は、インレイストランド１４０が、周辺領域１３３において、ニット構成要素１３０に結合されないままであり、または、ニット構成要素１３０から離れているということである。さらに、インレイストランド１４０は、ニット構成要素１３０内で摺動または移動して、それによって、（ａ）各レースループ１４１のサイズ、および（ｂ）インレイストランド１４０の部分の張力を、履物１００の製造プロセス中に調整できるようにしてもよい。
【００５０】
インレイストランド１４０が、ニット構成要素１３０に結合されないままであるか、または、ニット構成要素１３０から離れていることを確実にするという別の方法は、インレイストランド１４０のための材料から成る部分に関連する。
【００５１】
実施例として、インレイストランド１４０は、熱可塑性ポリウレタン等のいくつかの熱可塑性高分子材料に結合または接合しないナイロン材料から形成してもよい。そのため、インレイストランド１４０がナイロンから形成される場合、第４のヤーン１３７は、可溶性または熱可塑性の高分子材料を含む第３のヤーン１３６と置き換えてもよく、また、インレイストランド１４０は、第３のヤーン１３６と結合しない。この方法の利点は、ニット構成要素１３０に用いられる異なる種類のヤーンの数を最小限にすることができ、それによって、製造効率を高めることができるということである。また、インレイストランド１４０と、可溶性または熱可塑性の高分子材料との結合を抑えるために、ポリテトラフルオロエチレン（ＰＴＦＥ）等のさまざまなコーティングを利用してもよい。したがって、熱可塑性高分子材料と混和しない材料を有するようにインレイストランド１４０を選択することは、インレイストランド１４０がニット構成要素１３０に結合しないままであることを確実にすることができる。
【００５２】
一般的には、ニット構成要素１３０から成る部分は、熱可塑性高分子材料によって少なくとも部分的に形成されているヤーンを含んでもよい。ニット構成要素１３０は、熱可塑性高分子材料が、周辺領域１３３内等のニット構成要素１３０から成る区域に結合するか、またはその区域を溶融するように加熱してもよい。より具体的には、熱可塑性高分子材料は、ヤーンから成る部分を一緒に結合して、結合または融着区域を形成してもよい。いくつかの構造では、熱可塑性高分子材料を有するヤーンは、融着区域でそれ自体に結合させてもよい。他の構造では、熱可塑性高分子材料を有するヤーンは、熱可塑性高分子材料を含んでいても、含んでいなくてもよい融着区域で他のヤーンに結合させてもよい。
【００５３】
しかし、どちらの場合でも、インレイストランド１４０が熱可塑性高分子材料に結合しないままであることを確実にするのに、さまざまな方法を用いることができる。一実施例において、ニット構成要素１３０のニット構造は、熱可塑性高分子材料を用いることなく、ヤーンをインレイストランド１４０に近接して配置し、それによって、インレイストランド１４０と熱可塑性高分子材料との間にバッファを形成している。別の実施例では、インレイストランド１４０は、熱可塑性高分子材料と結合部を形成しない材料を含んでもよい。したがって、インレイストランド１４０が、熱可塑性高分子材料と分離したままであるか、または、熱可塑性高分子材料に結合しないことを確実にするのに、さまざまな構造および方法を用いることができる。
【００５４】
ニット構成要素１３０を形成するヤーンと同様に、インレイストランド１４０の構造は、大幅に変えてもよい。インレイストランド１４０は、ヤーンに加えて、例えば、フィラメント（例えば、単繊維）、スレッド、ロープ、帯、ケーブルまたは鎖から成る構造を有してもよい。
【００５５】
ニット構成要素１３０を形成するヤーンと比較して、インレイストランド１４０の厚さ(thickness)は、より大きくてもよい。いくつかの構造では、インレイストランド１４０は、ニット構成要素１３０のヤーンよりも著しく大きな厚さを有してもよい。インレイストランド１４０の断面形状は円形でもよいが、その断面形状は、三角形、四角形、長方形、楕円形または不規則であってもよい。さらに、インレイストランド１４０を形成する材料は、綿、エラステイン、ポリエステル、レーヨン、ウールおよびナイロン等のニット構成要素１３０内のヤーンのための材料のうちのいずれかを含んでもよい。上述したように、インレイストランド１４０は、ニット構成要素１３０よりも大きな伸張抵抗性を呈していてもよい。したがって、インレイストランド１４０のための適当な材料は、ガラス、アラミド（例えば、パラアラミドおよびメタアラミド）、超高分子量ポリエチレンおよび液晶ポリマーを含む、高引張強度用途に利用されるさまざまなエンジニアリングフィラメントを含んでもよい。また、別の実施例として、０．８ミリメートルの直径を有するポリエステル製組糸またはケーブルをインレイストランド１４０として用いてもよい。
【００５６】
締めひも１２６は、上述したように、アッパー１２０を横切って、およびアッパー１２０の両側に沿って設けられているレースループ１４１の間を通っている。実際には、締めひも１２６は、アッパー１２０の両側の間で、アッパー１２０を横断するジグザグの経路を辿っている。
【００５７】
アッパー１２０の両側のいくつかの位置では、図１４に図示されているように、２つのレースループ１４１が、互いに重なっているか、または、互いに近接して配置されており、締めひも１２６は、両方のレースループ１４１を同時に通っている。すなわち、締めひも１２６が、アッパー１２０を横切って繰り返し通る方向を変えるそれぞれの位置において、レースループ１４１のペアが、締めひも収容要素として用いられている。重なり構造になっているレースループ１４１のペアによって、レースループ１４１の各ペアは、開口を形成するように位置合わせされて、締めひも１２６は、その開口を通って延びている。締めひも１２６は、各位置において、単一のレースループ１４１を通ってもよいが、レースループ１４１のペアを用いることの利点は、インレイストランド１４０の切断の影響を最小限にすることができるということである。すなわち、一方のレースループ１４１に関連するインレイストランド１４０から成る部分が切断されたか、または、別なふうに破損した場合、他方のレースループ１４１が、各位置に締めひも収容要素を形成することができる。
【００５８】
ニット構成要素１３０の別の構造が、（ａ）周辺領域１３３内に複数の小区域１３８を含み、および（ｂ）中央領域１３２および周辺領域１３３の区域内でニット構成要素１３０を貫通して延びている複数の開口１３９を含むように図１５に示されている。小区域１３８は、ニット構成要素１３０が、異なる種類および組合せの縫製およびヤーンを有している領域とすることができる。そのため、小区域１３８の各々は、伸張抵抗性、厚さ、通気性および耐摩耗性等の異なる特性を有していてもよい。あるいは、小区域１３８は、用いられるヤーンの色が異なっていて、それによって、アッパー１２０の美観を変えてもよい。開口１３９は、アッパー１２０の通気性を向上させることに加えて、伸縮性をニット構成要素１３０に付与してもよい。すなわち、開口１３９は、特定の区域におけるニット構成要素１３０の伸張抵抗性を低下させることができる。したがって、ニット構成要素１３０の区域に特定の特性を与えるように、ニット構成要素１３０内のさまざまな形状構成および構造を大幅に変えることができる。
【００５９】
本発明は、さまざまな構造に関して、上記および添付図面に開示されている。しかし、その開示が果たす目的は、本発明に関連するさまざまな特徴および概念の実施例を示すことであり、本発明の範囲を限定することではない。当業者は、添付クレームによって定義される本発明の範囲から逸脱することなく、上述した構造に対してさまざまな変形および変更を行ってもよいことを正しく認識するであろう。
【図１】
2020179246.tif 000003
【図２】
2020179246.tif 000004
【図３】
2020179246.tif 000005
【図４Ａ】
2020179246.tif 000006
【図４Ｂ】
2020179246.tif 000007
【図４Ｃ】
2020179246.tif 000008
【図５】
2020179246.tif 000009
【図６Ａ】
2020179246.tif 000010
【図６Ｂ】
2020179246.tif 000011
【図６Ｃ】
2020179246.tif 000012
【図７】
2020179246.tif 000013
【図８】
2020179246.tif 000014
【図９】
2020179246.tif 000015
【図１０Ａ】
2020179246.tif 000016
【図１０Ｂ】
2020179246.tif 000017
【図１０Ｃ】
2020179246.tif 000018
【図１１】
2020179246.tif 000019
【図１２】
2020179246.tif 000020
【図１３】
2020179246.tif 000021
【図１４】
2020179246.tif 000022
【図１５】
2020179246.tif 000023